(57)【特許請求の範囲】
【請求項１】
取着部に固設または旋回自在な脚体には車輪が設けられ、上記脚体にレバー枢支部により枢支のストッパーレバーを非ロック状態から回動操作することにより、これまた脚体にスプリング支部により支えられているストッパースプリングを回動させ、これによって当該ストッパースプリングの取着部側部を、前記取着部に対して係止することで脚体の旋回をロック状態とするか、同上ストッパースプリングのストッパーレバー側部を車輪に押当させて車輪ロック状態とすることの一方または双方のロック状態が可能であるキャスターにおいて、上記のストッパーレバーが非ロック状態であるときは、当該ストッパーレバーの案内空所にスライド自在なるよう収納されたロック表示プレートの非ロック表示面が、表示窓から確認でき、当該ストッパーレバーを回動して上記一方または双方のロック状態とすることによって、前記レバー枢支部とは位置を異にする前記スプリング支部に支えられたストッパースプリングにおけるストッパーレバー側部に係留されたロック表示プレートを、上記案内空所内でストッパーレバーと相対変位自在なるようスライドさせることにより、前記表示窓からは前記の非ロック表示面に替えて隣装のロック表示面が確認できるようにしたことを特徴とするキャスターのロック表示装置。
【請求項２】
取付部に固設または旋回自在な脚体に回転自在なるよう車輪が設けられているキャスターにあって、上記脚体の脚側板部上位側には、スプリング支部により回動自在なるよう支えられたストッパースプリングの反取着部側には、ストッパーレバー側部を延設し、さらに脚体には、前記スプリング支部よりも反取着部側に設けたレバー枢支部によって、回動操作自在なるよう枢支したストッパーレバーを設け、当該ストッパーレバーには、表示窓と上記のレバー枢支部の近傍に形成された押隆部と、ロック表示プレートがスライド自在なるよう収納された案内空所とが設けられ、当該ロック表示プレートのレバー枢支部側にあって形成された係装部には、前記のストッパーレバー側部の自由端側を係嵌遊装し、キャスターの非ロック状態にあっては、前記の表示窓からロック表示プレートにおける非ロック表示面を直視可能となし、前記ストッパーレバーを非ロック状態から操作にて、レバー枢支部を中心として回動操作することにより、前記の押隆部により前記ストッパーレバー側部を弾圧変形し、これによってストッパーリングの取着部側部を、前記取着部に対して係止することで脚体の旋回をロック状態とするか、同上ストッパースプリングのストッパーレバー側部を車輪に押当させて車輪ロック状態とすることの一方または双方となし、このことでストッパーレバー部側に係嵌遊装の前記ロック表示プレートを、ストッパーレバーにおける前記した案内空所の外側方へスライドさせて前記表示窓からは非ロック表示面に替えて、これに隣装のロック表示面が直視自在となるようにしたことを特徴とするキャスターのロック表示装置。
【請求項３】
取着部の支承体に旋回自在なるよう設けられた脚体には、車軸により回転自在なるよう車輪が設けられているキャスターにあって、上記脚体の脚側板部上位側には、略中央箇所を前記車軸と併行するスプリング支部により、回動自在なるよう枢支されたストッパースプリングが配装されていると共に、当該ストッパースプリングの支承体側には脚体に弾接の付勢発条を備えた脚体旋回ストッパー用となる取着部側部を、反取着部側には車輪回転ストッパー用となるストッパーレバー側部を夫々延設し、さらに脚体には、前記スプリング支部よりも反取着部側に離間併装のレバー枢支部によって、回動操作自在なるよう枢支したストッパーレバーを設け、当該ストッパーレバーには、表示窓と上記のレバー枢支部の近傍に形成された押隆部と、ロック表示プレートがスライド自在なるよう収納された案内空所とが設けられ、当該ロック表示プレートのレバー枢支部側にあって形成された係装部には、前記のストッパーレバー側部の自由端側を係嵌遊装し、キャスターの非ロック状態にあっては、前記の表示窓からロック表示プレートにおける非ロック表示面を直視可能となし、前記ストッパーレバーを非ロック状態からロック操作にて、レバー枢支部を中心として回動操作することにより、前記の押隆部により前記ストッパーレバー側部を弾圧変形し、これによって取着部側部が支承体の被係部に係止して脚体の旋回をロック状態にすると共に、前記ストッパーレバー側部を車輪に押当して車輪ロック状態に保持自在となし、このことでストッパーレバー側部に係嵌遊装の前記ロック表示プレートを、ストッパーレバーにおける前記した案内空所の外側方へスライドさせて前記表示窓からは非ロック表示面に替えて、これに隣装のロック表示面が直視自在となるようにしたことを特徴とするキャスターのロック表示装置。
【請求項４】
ストッパーレバーの案内空所にはガイドを突設し、当該ガイドの載装上面と表示窓が開口されている案内空所の天井壁面との間にあって、ロック表示プレートの表示板部がスライド自在なるよう挟装されている請求項１ないし請求項３に記載されたキャスターのロック表示装置。
【請求項５】
ストッパーレバーの押隆部は、レバー枢支部を具備したカムとして形成されている請求項２または請求項３に記載したキャスターのロック表示装置。
【請求項６】
ストッパースプリングのストッパーレバー側部は、スプリング支部側から順次平板基部と、これから下向きに曲折された折連部と、これより外方へ曲折された底連部と、これに連設の上折先端部とからなり、ロック表示プレートは、非ロック表示面とロック表示面とを有する表示板部と、その押隆部側から下突された係止板部と押当板部間に係装部の離間形成されてなる二股状部とにより形成され、非ロック状態にあっては、ストッパーレバーの押隆部がストッパーレバー側部の前記折連部と底連部とに当接すると共に、上折先端部がロック表示プレートの上記係装部に係入され、ロック状態にあっては、押隆部がストッパーレバー側部の平板基部に弾接し、かつ上折先端部は係装部から係止板部の基根側に貫設された逃げ孔に進入自在である請求項２または請求項３に記載したキャスターのロック表示装置。
【発明の詳細な説明】
【０００１】
【発明の属する技術分野】
本発明はキャスターの脚体が旋回しないようにロックしたり、車輪が回転不能となるロック状態にしたり、当該両ロック状態が得られるようにするため、上記の脚体に回動操作のできるストッパーレバーとか、これにより連動することとなるストッパースプリングを設けるようにしたキャスターにあって、これが上記したロック状態にあるのか非ロック状態であるかを、視覚的に判別可能とするために付設されるロック表示装置に関する。
【０００２】
【従来の技術】
既に各種のキャスターにあって、そのロック状態を確認できる表示装置なるものが提案（実公平８−５８４３、実公平７−７２０１等）されているが、ギアとかラックギア等を用いたり車輪にロックのための係止用凹所を形成するなど、その構成が複雑なものとなっている。。
そして、これを改善するため、前記のようにキャスターの脚体に設けられたストッパーレバーを回動することで、その動きを脚体のストッパースプリングに伝達し、これによって当該脚体が旋回しないようにしたり、さらに車輪をも回動不能とすることのできるロック装置付きのキャスター（実開平１−１３２４０１、特開平１１−３２１２０８等）が多用されている。
しかし、この種のロック装置付きキャスターに関しては、好適なロック表示装置の提案がなされていない。
【０００３】
【発明が解決しようとする課題】
本発明は上記従来技術の現況に鑑み検討されたもので請求項１にあっては、前説した如きロック装置付きキャスターにおけるストッパーレバーの案内空所にロック表示プレートなるものをスライド自在なるよう組み込むと共に、このロック表示プレートには、前記のストッパースプリングにおけるストッパーレバー側部を係留状態としておくのである。
そして、上記ストッパーレバーがレバー枢支部を中心として回動することで、ストッパースプリングがスプリング支部を中心に回動されるようにし、これにより当該ストッパースプリングの取着部側部とストッパーレバー側部との動きによって、夫々脚体の旋回と車輪の回転との一方または双方をロック状態とするのである。
【０００４】
この際当該請求項１にあっては上記したレバー枢支部とスプリング支部の脚体における装設位置が互いに離間していることにより、ストッパーレバーの回動中に、ストッパーレバー側部により係留拘束されているロック表示プレートのロック表示面が、前記案内空所内をスライドすることになり、かくして簡易な構成でストッパーレバーの表示窓を介し、スライド前の非ロック表示面とスライド後のロック表示面とを夫々各別に確認でき、ロック状態か否かを明確に知り得るようにするのが、その目的である。
【０００５】
次に請求項２では、上記した請求項１の構成に加え、キャスタの脚部における脚側板部の上位側にあって、スプリング支部により回動自在なるよう支えられたストッパースプリングを配装することで、その回動状態を、堅牢かつロック表示プレートのレバー枢支部側に形成の係装部には、ストッパーレバー側部の自由端側を係嵌遊装することで、上記の押隆部によりストッパーレバー側部を弾圧変形し、ストッパーリングの取着部側部を、取着部に係止して脚体の旋回をロック状態とするか、ストッパーレバー側部を車輪に押当させて車輪ロック状態とするかの一方または双方となし、かくしてロック表示プレートのスライドを、より確実に実施可能とすることで、非ロック表示面からロック表示面直視状態への作動を円滑に行い得るようにしている。
【０００６】
さらに請求項３によるときは、上記請求項２の構成に対して、さらにキャスタの支承体に形成された被係嵌部に対して、ストッパースプリングにおける取着部側部に設けた付勢発条を、脚部の脚背板部に弾接することで、当該取着部側の前記支承体に対する係止を、より確実に行い得るようにして、脚体の旋回ロック状態に関し、よりその信頼性を向上しようとしている。
【０００７】
そして請求項４の場合には、上記の請求項１ないし請求項３において、ストッパーレバーの案内空所にあって、ガイドを適所に設けるようにし、当該ガイドの載置上面と案内空所の天井壁面との間に、ロック表示プレートの表示板部をスライド自在なるよう挟装することで、ストッパーレバーに対する表示プレートのスライドを円滑に行い得るようにし、故障の発生阻止につき信頼性を向上し得るロック表示装置を提供しようとしている。
【０００８】
さらに請求項５ないし請求項６にあっては、上記した請求項３に従属する技術内容を示すもので、請求項５ではストッパーレバーの押隆部を特定形状として、その押下回動によるストッパースプリングにおけるストッパーレバー側部の弾性変形を円滑に行い得るようにしており、また請求項６では、前記のストッパーレバー側部を平板基部、折連部、底連部そして上折先端部とにより形成し、ロック表示プレートは前掲非ロック表示面とロック表示面をもった表示板部と、二股状部とにより形成し、非ロック状態では押隆部が前記の折連部と底連部とに当接し、かつ上折先端部が、ロック表示プレートの二股状部に形成された係嵌部に係嵌されるようにする。
さらにロック状態では押隆部が前記平板基部に弾接し、上折先端部は係装部から係止板部の逃げ孔に進入自在なるよう構成することで、非ロック状態からロック状態への挙動を、より一層円滑にしようとしている。
【０００９】
【課題を解決するための手段】
本発明は上記の目的を達成するため請求項１によるときは、取着部に固設または旋回自在な脚体には車輪が設けられ、上記脚体にレバー枢支部により枢支のストッパーレバーを非ロック状態から回動操作することにより、これまた脚体にスプリング支部により支えられているストッパースプリングを回動させ、これによって当該ストッパースプリングの取着部側部を、前記取着部に対して係止することで脚体の旋回をロック状態とするか、同上ストッパースプリングのストッパーレバー側部を車輪に押当させて車輪ロック状態とすることの一方または双方のロック状態が可能であるキャスターにおいて、上記のストッパーレバーが非ロック状態であるときは、当該ストッパーレバーの案内空所にスライド自在なるよう収納されたロック表示プレートの非ロック表示面が、表示窓から確認でき、当該ストッパーレバーを回動して上記一方または双方のロック状態とすることによって、前記レバー枢支部とは位置を異にする前記スプリング支部に支えられたストッパースプリングにおけるストッパーレバー側部に係留されたロック表示プレートを、上記案内空所内でストッパーレバーと相対変位自在なるようスライドさせることにより、前記表示窓からは前記の非ロック表示面に替えて隣装のロック表示面が確認できるようにしたことを特徴とするキャスターのロック表示装置を提供しようとしている。
【００１０】
次に請求項２によるときは、取付部に固設または旋回自在な脚体に回転自在なるよう車輪が設けられているキャスターにあって、上記脚体の脚側板部上位側には、スプリング支部により回動自在なるよう支えられたストッパースプリングの反取着部側には、ストッパーレバー側部を延設し、さらに脚体には、前記スプリング支部よりも反取着部側に設けたレバー枢支部によって、回動操作自在なるよう枢支したストッパーレバーを設け、当該ストッパーレバーには、表示窓と上記のレバー枢支部の近傍に形成された押隆部と、ロック表示プレートがスライド自在なるよう収納された案内空所とが設けられ、当該ロック表示プレートのレバー枢支部側にあって形成された係装部には、前記のストッパーレバー側部の自由端側を係嵌遊装し、キャスターの非ロック状態にあっては、前記の表示窓からロック表示プレートにおける非ロック表示面を直視可能となし、前記ストッパーレバーを非ロック状態から操作にて、レバー枢支部を中心として回動操作することにより、前記の押隆部により前記ストッパーレバー側部を弾圧変形し、これによってストッパーリングの取着部側部を、前記取着部に対して係止することで脚体の旋回をロック状態とするか、同上ストッパースプリングのストッパーレバー側部を車輪に押当させて車輪ロック状態とすることの一方または双方となし、このことでストッパーレバー部側に係嵌遊装の前記ロック表示プレートを、ストッパーレバーにおける前記した案内空所の外側方へスライドさせて前記表示窓からは非ロック表示面に替えて、これに隣装のロック表示面が直視自在となるようにしたことを特徴とするキャスターのロック表示装置を提供しようとしている。
【００１１】
次に請求項３では、上記請求項２の目的をより確実に達成するため
取着部の支承体に旋回自在なるよう設けられた脚体には、車軸により回転自在なるよう車輪が設けられているキャスターにあって、上記脚体の脚側板部上位側には、略中央箇所を前記車軸と併行するスプリング支部により、回動自在なるよう枢支されたストッパースプリングが配装されていると共に、当該ストッパースプリングの支承体側には脚体に弾接の付勢発条を備えた脚体旋回ストッパー用となる取着部側部を、反取着部側には車輪回転ストッパー用となるストッパーレバー側部を夫々延設し、さらに脚体には、前記スプリング支部よりも反取着部側に離間併装のレバー枢支部によって、回動操作自在なるよう枢支したストッパーレバーを設け、当該ストッパーレバーには、表示窓と上記のレバー枢支部の近傍に形成された押隆部と、ロック表示プレートがスライド自在なるよう収納された案内空所とが設けられ、当該ロック表示プレートのレバー枢支部側にあって形成された係装部には、前記のストッパーレバー側部の自由端側を係嵌遊装し、キャスターの非ロック状態にあっては、前記の表示窓からロック表示プレートにおける非ロック表示面を直視可能となし、前記ストッパーレバーを非ロック状態からロック操作にて、レバー枢支部を中心として回動操作することにより、前記の押隆部により前記ストッパーレバー側部を弾圧変形し、これによって取着部側部が支承体の被係部に係止して脚体の旋回をロック状態にすると共に、前記ストッパーレバー側部を車輪に押当して車輪ロック状態に保持自在となし、このことでストッパーレバー側部に係嵌遊装の前記ロック表示プレートを、ストッパーレバーにおける前記した案内空所の外側方へスライドさせて前記表示窓からは非ロック表示面に替えて、これに隣装のロック表示面が直視自在となるようにしたことを特徴とするキャスターのロック表示装置を提供するものである。
【００１２】
さらに、請求項４では、上記の請求項１ないし請求項３にあって、ストッパーレバーの案内空所にはガイドを突設し、当該ガイドの載装上面と表示窓が開口されている案内空所の天井壁面との間にあって、ロック表示プレートの表示板部がスライド自在なるよう挟装されていることをその内容としている。
【００１３】
そして請求項５にあっては、請求項２または請求項３において、ストッパーレバーの押隆部が、レバー枢支部を具備したカムとして形成されていることを、その内容としており、請求項６では、ストッパースプリングのストッパーレバー側部が、スプリング支部側から順次平板基部と、これから下向きに曲折された折連部と、これより外方へ曲折された底連部と、これに連設の上折先端部とからなり、ロック表示プレートは、非ロック表示面とロック表示面とを有する表示板部と、その押隆部側から下突された係止板部と押当板部間に係装部の離間形成されてなる二股状部とにより形成され、非ロック状態にあっては、ストッパーレバーの押隆部がストッパーレバー側部の前記折連部と底連部とに当接すると共に、上折先端部がロック表示プレートの上記係装部に係入され、ロック状態にあっては、押隆部がストッパーレバー側部の平板基部に弾接し、かつ上折先端部は係装部から係止板部の基根側に貫設された逃げ孔に進入自在であることを内容としている。
【００１４】
【発明の実施の形態】
本願の請求項１に係る発明につき図面を参照して以下詳記すると、キャスターＡとしては既知の如く以下のように構成されている。すなわち椅子、テーブル等に取り付けられる取着部Ｂにあって、もちろん支承体１のないものも存するが、図示例では、上部転動体１ａを内装した上部転動用受部１Ａと、下部転動体１ｂを内装した下部転動用受部１Ｂとを、取着ボルト１ｃとナット１ｄによって一体化された支承体１が示されている。この際上部転動用受部１Ａと下部転動用受部１Ｂとの間に、逆Ｕ字状に形成された脚体２の脚背板部２ａが、水平に旋回自在なるよう挟装されており、２ｂは脚背板部２ａの前後両端部から下方へ曲設した一対の脚側板部を示している。そして上記一対の脚側板部２ｂ間には、車軸３ａによって車輪３が回転自在なるよう軸承されている。
【００１５】
さらに上記脚体２の図示例では、脚側板部２ｂにあって横向レバー枢支部４ａにより枢支されたストッパーレバー４を、図１の実線で示した非ロック状態から、既知の如く爪先などにより矢印Ｄ方向へ押下回動するといった操作で、図示例では脚体２の脚側板部２ｂにスプリング支部５ａにより枢支されているストッパースプリング５が回動自在に設けられている。ここでストッパースプリング５の脚体２に対する枢支手段につき、他の実施態様を例示すると、図２（Ａ）を参照して脚体２の脚背板部２ａから下向きに、スプリング支部５ａを突設し、その基端部ａから首部を介して縮経自在な抜止部３ｂを連枢し、これにストッパースプリング５の係嵌口ｃを、抜止め状態に係嵌することで、ストッパースプリング５を回動自在としてある。そしてこの際、当該回動を円滑に行わせるため図示されていないが、脚背板部２ａから一対の規制板を下突して、当該規制板間にストッパースプリング５を昇降動自在に挟装状態にて収納するのが望ましい。これにより当該ストッパースプリング５における取着部側部５ｂが、前記した取着部Ｂの支承体１における図示例では下部転動用受部１Ｂの凹溝１ｅに対して係止され、この結果脚体２は旋回不能のロック状態になるか、同上ストッパースプリング５のストッパーレバー側部５ｃが車輪３に押当することで、当該車輪３が回転不能となるかの一方または双方のロック状態が得られるよう構成される。
【００１６】
また上記図２（Ａ）の如きストッパースプリング５の脚体２に対する枢支手段によることなく、図２（Ｂ）に例示する通りスプリング支部５ａに対して、ストッパースプリング５を、抜け止め固定端縁部５ａ’により固定してしまうようにしてもよい。
このようにした場合には、ストッパースプリング５が図２（Ａ）のように回動するのではなく、ストッパースプリング５自体が具有している弾性によって、矢印の如く上下方向へ回動し得ることになり、これにより、図２（Ａ）と等価的な回動作用を行うこととなる。
【００１７】
さて請求項１では、上記の如きキャスターＡにあってそのストッパーレバー４が、図１の実線で示されている通りの非ロック状態にあるときは、このストッパーレバー４における案内空所４ｃにあって、図中左右方向へスライド自在なるよう収納されているロック表示プレート６の非ロック表示面６ａが、当該ストッパーレバー４に開設された表示窓４ｂを介して確認し得るよう構成されている。
すなわち、上記の非ロック表示面６ａに隣設されているロック表示面６ｂは、当該非ロック状態であればストッパーレバー４により隠蔽されており、従ってその確認は不能状態になっている。また後に詳記されるが、上記の非ロック表示面６ａとしてはＦＲＥＥの文字表示とし、ロック表示面６ｂにはＬＯＣＫの文字表示としたり、赤と緑の色別表示としてもよく、さらには一方の例えばロック表示面６ｂだけに文字、色等のロック表示を明示し、他方にあっては特別な表示を施さないようにしてもよい。
【００１８】
さらに請求項１にあっては、図１に例示の如く前記のストッパーレバー４を矢印Ｄ方向へ押下回動して、前説の通り脚体２の旋回をロック状態としたり、車輪３の回転をロックさせることになるが、この際ストッパーレバー側部５ｃに、上記のロック表示プレート６を係留するようにしてあることから、ストッパーレバー４とこれに収納されているロック表示プレート６との相対的な位置関係が、以下のようにスライド変位することとなる。
すなわち図１の実線で示されているストッパーレバー４と仮想線で開示されているロック状態下のストッパーレバー４を対比すれば理解される通り、このストッパーレバー４はレバー枢支部４ａを中心として回動するのに対し、ストッパースプリング５は別異のスプリング支部５ａを中心として回動することになる。
【００１９】
従って上記の両回動により、図１の例示によるときはストッパーレバー４が短い半径で回動するのに対し、ロック表示プレート６はそれよりも長い半径をもって回動することになり、この結果、当該ロック表示プレート６はストッパーレバー４における案内空所４ｃ内にあって、図１の右方へ向けてスライドすることになるから、表示窓４ｂから確認されていた非ロック表示面６ａに替えてロック表示面６ｂが、同上表示窓４ｂから確認されるよう構成されている。
なお、この際図示例とは違ってレバー枢支部４ａとスプリング支部５ａとの配設位置を左右に反転するとか、離間距離を適宜変更するといったことで、ロック表示プレート６を図１の左方向へ移動させることにより、ロック表示面６ｂを露呈させるようにしたり、ロック表示プレート６のスライド長を適当に加減することも可能であり、何れにしても簡易な構成によりキャスターにおけるロック表示の目的を達成することができる。
【００２０】
次に請求項２について説示すると、その基本的構成は上説の請求項１と同じであるが、これに特定構成要素を付加することにより、より円滑な作動が行われるようにしている。
すなわち前記のキャスターＡにあって、脚体２の脚側板部２ｂにおける上位側に、スプリング支部５ａにより回動自在なるようストッパースプリング５が枢支されている。
そしてストッパーレバー４には、表示窓４ｂとレバー枢支部４ａの近傍にあって押隆部４ｄが形成されていると共に、ロック表示プレート６のレバー枢支部４ａ側にあって形成の係装部６には、ストッパーレバー側部５ｃの自由端側を係嵌遊嵌装するよう構成されている。
【００２１】
このような付加的構成により、請求項２によるときはレバー枢支部４ａを中心とするストッパーレバー４の回動操作にて、前掲押隆部４ｄによりストッパーレバー側部５ｃを弾圧変形し、このことによって、脚体の旋回をロック状態とするか、ストッパーレバー側部５ｃが車輪３に押当され、車輪ロック状態は確実かつ円滑に保持自在となるのであり、かくして、もちろん表示窓４ｂからは非ロック表示面６ａに替えて、これに隣装のロック表示面６ｂが直視されるに至る。
【００２２】
さらに請求項３につき説示すると、これまた、その基本的構成は請求項１と同じであるが、その細部にわたり特定された構成要素を採択することで、より円滑なる作動を保証しようとしている。
すなわち、請求項１について既説の通り取着部Ｂの支承体１に旋回自在なるよう設けた脚体２に、横向車軸３ａにより回転自在なるよう車輪３を設けたキャスターＡにあって、脚体２の脚側板部２ｂにおける上位側には、ストッパースプリング５の略中央箇所が、車軸３ａと併行なスプリング支部５ａにより、回動自在なるよう枢支されている。
そしてこのストッパースプリング５には、その支承体１側にあって脚体２の図示例では脚背板部２ａに弾接の付勢発条５ｄを備えている脚体旋回ストッパー部５ｂが形成されていると共に、反支承体側には車輪回転ストッパー部５ｃが夫々延設されている。
【００２３】
さらに前記のストッパーレバー４は、脚体２にあって上記のスプリング支部５ａよりも反取着部側に離間して併装したレバー枢支部４ａによって、回動操作自在となるよう枢着されている。
このストッパーレバー４には、図３によって理解される通りその中央部にあって表示窓４ｂが開成されていると共に、レバー枢支部４ａの近傍に押隆部４ｄが形成され、さらに前説の通りロック表示プレート６がスライド自在なるよう収納される案内空所４ｃを開設し、この案内空所４ｃと上記の表示窓４ｂとが連通状態となっている。
またロック表示プレート６におけるレバー枢支部４ａ側には係装部６ｃを設けておき、これに前記したストッパーレバー側部５ｃの自由端側を係嵌遊装、すなわち係留状態にしておくのである。
【００２４】
上記のように構成することで、キャスターＡの非ロック状態にあっては、ロック表示プレート６の前記した非ロック表示面６ａが、表示窓４ｂから直視可能となり、ストッパーレバー４を当該非ロック状態からロック操作によってレバー枢支部４ａを中心として押下回動、すなわち矢印Ｄ方向へ回動させることで、前記した押隆部４ｄの回動にてストッパースプリング５のストッパーレバー側部５ｃを弾圧変形することができる。
これにより取着部側部５ｂの係止突起５ｅを既知の如く支承体１における凹溝１ｅ等により形成された被係部１ｆに係止自在とし、これにより脚体２の旋回をロック状態とする。
【００２５】
上記の旋回ロック状態と同期的に、上記した車輪回転ストッパー部５ｃを車輪３に押当することで車輪ロック状態となし、これをストッパースプリング５の復元力によって保持自在とするが、これによってストッパーレバー側部５ｃに前記の如く係嵌遊装されているロック表示プレート６は、既説の通りストッパーレバー４における案内空所４ｃにあって、その外側方へ向けスライドすることとなり、この結果表示窓４ｂから直視されていたロック表示プレート６の非ロック表示面６ａに替えて、隣装のロック表示面６ｂが直視されることになる。
【００２６】
そして請求項４によるときは、請求項１ないし請求項３においてストッパーレバー４の案内空所４ｃにあって、ロック表示プレート６を、より円滑にスライドさせると共に当該ロック表示プレート６が不本意に案内空所４ｃから離脱せず、高い信頼性を確保しようとするもので、図４そして特に図６によって理解される通り、案内空所４ｃにはガイド４ｅを突設することで、当該ガイド４ｅの載装上面４ｆと、表示窓４ｂが開口されている案内空所４ｃの天井壁面４ｇとの間にあって、ロック表示プレート６の表示板部６ｄがスライド自在となるように挟装されている。
そして、上記ロック表示プレート６をストッパーレバー４の案内空所４ｃに収納するには、図６に例示されているように、まず上記案内空所４ｃにおける押隆部４ｄ側から、表示板部６ｄを同図（Ａ）のように表示窓４ｂとガイド４ｅの載置上面４ｆとの間に進入させ、同図（Ｂ）の如く当該表示板部６ｄを凸曲状に湾曲させながら、同図（Ｃ）のように案内空所４ｃの押隆部４ｄ側へ収納し、かくして表示板部６ｄの非ロック表示面６ａを表示窓４ｄに整合配置するのが望ましい。
【００２７】
次に請求項５と請求項６は、何れも上記請求項２または請求項３に係る実施態様を示しており、請求項５にあっては前記ストッパーレバー４の押隆部４ｄにつき、これをレバー枢支部４ａが設けられているカムとして形成するようにしており、このようにすることで、ストッパースプリング５のストッパーレバー側部５ｃに対する力の伝達を円滑に行い得るようにし、請求項２および請求項３による作用に高い信頼性をもたせるようにしている。
【００２８】
請求項６にあっては、請求項２または請求項３におけるストッパースプリング５に関し、そのストッパーレバー側部５ｃと、ロック表示プレート６との構成を特定化することにより、これまた請求項２または請求項３による作業の円滑化と信頼性を向上しようとしている。
すなわち、まずストッパースプリング５におけるストッパーレバー側部５ｃの形状に関し、これをスプリング支部５ａ側から順次平板基部５ｆと、これより下向きに曲折して形成の折連部５ｇと、これから外方へ曲折された底連部５ｈと、さらに連設の上折先端部５ｉとにより形成され、従って全体としての側面形状が柄杓状に曲成されている。
そして、さらに図５に開示されている通り、５ｊはレバー枢支部４ａが貫装する軸孔５ｋの穿設された軸承座板であり、前記した付勢発条５ｄは取着部側部５ｂから上向きに切り起こすことで形成されている。
【００２９】
上掲ロック表示プレート６は、図４に明示の如く前掲非ロック表示面６ａとロック表示面６ｂとを具有している表示板部６ｄと、その押隆部４ｄ側から下突された係止板部６ｅおよび押当板部６ｆとの間にあって、前記した係装部６ｃが離間形成されてなる二股状部６Ａとからなり、６ｇは係装部６ｃから係止板部６ｅの基根側に貫設された逃げ孔である。
上記の構成に基づき請求項４にあっては、非ロック状態であればストッパーレバー４の押隆部４ｄがストッパーレバー側部５ｃの折連部５ｇと底連部５ｈとに当接すると共に、上折先端部５ｉがロック表示プレート６の上記した係装部６ｃに係入されている。
【００３０】
そして、ロック状態にあっては押隆部４ｄがストッパーレバー側部５ｃの平板基部５ｆに弾接し、かつ上折先端部５ｉは係装部６ｃから係止板部６ｅの基根側に貫設されている逃げ孔６ｇに進入自在としてあるので、ストッパーレバー４の押下回動に際して、上折先端部５ｉが逃げ孔６ｇに回り込むことができ、このためストッパーレバー側部５ｃは、ロック表示プレート６との係留状態を保持しながら、上折先端部５ｉがロック表示プレート６の回動を阻害するといったことなく、信頼性の高いロック操作を保証することができる。
【００３１】
【発明の効果】
本発明は以上のようにして構成されているから、請求項１におけるキャスターのロック表示装置によるときは、ストッパーレバーの回動でストッパースプリングを作動させ、これにより脚部の旋回と車輪の回動の一方または双方をロック可能としたキャスターにあって、脚体における離間位置に夫々ストッパーレバーのレバー枢支部と、ストッパースプリングのスプリング支部を設けると共にストッパースプリングのストッパーレバー側部と、ストッパーレバーの案内空所に内装のロック表示プレートとを係留するだけの簡易な構成により、ストッパーレバーの回動操作により、上記のロック表示プレートを無理なくスライドさせることができ、これによりストッパーレバーの表示窓を介して、ロック表示プレートにおける非ロック表示面とロック表示面とを各別に確認し、キャスターのロック状態を確実に知ることが可能となる。
【００３２】
次に請求項２では上記請求項１の構成に、ストッパースプリングのスプリング支部を、脚側板部に設けるようにして堅牢安定化を図り、またレバー枢支部の近傍に押隆部を設けたり、レバー枢支部側に係装部を設定して、これにストッパーレバー側を係嵌遊装するなどの構成要素を付加することで、ロック表示プレートのスライドが円滑に行い得ることになる。
【００３３】
請求項３では、前記請求項２におけるストッパーレバーやストッパースプリング、さらにロック表示プレートの具体的な構成を特定するようにしたので、請求項２の上記した効果を、相対的に、より高い信頼性をもって発揮させることができる。
【００３４】
そして、請求項４によるときは、ストッパーレバーの案内空所にガイドが適切に設けられることで、ロック表示プレートの装填も行い易く、しかも離脱の心配もなく、円滑なスライドをも保証することができ、請求項１ないし請求項３の効果に、より信頼性を確保することができる。
【００３５】
請求項５にあっては、レバー枢支部をもったカムによってストッパースプリングの押隆部を形成したので、ストッパーレバーの回動操作を円滑に行い得ることになり、請求項２または請求項３の目的をより確実に達成することができる。
【００３６】
請求項６によるときは、ストッパースプリングのストッパーレバー側部を適切な屈曲形状とし、ロック表示プレートも特異な係装部をもつ二股状部と表示板部とにより形成し、かつ二股状部に逃げ孔を開口するようにしたので、ストッパーレバーの操作によるロック状態への挙動が、より円滑に行い得ることになる。
【図面の簡単な説明】
【図１】本発明に係るロック表示装置を備えたキャスターの非ロック状態とロック状態とを開示した一部切欠の要部側面図である。
【図２】（Ａ）は図１とは別異のスプリング支部を採択したキャスターのロック表示装置を示す一部切欠の要部側面図で（Ｂ）は、さらに別態様のストッパースプリングの支持構成を示した部分側面図である。
【図３】図１に示した一部材であるストッパーレバーを示し、（Ａ）はその平面図、（Ｂ）は側面図、（Ｃ）は正面図である。
【図４】図１に示した一部材であるロック表示プレートを示し、（Ａ）はその平面図、（Ｂ）は（Ａ）のＢ−Ｂ線矢視断面図、（Ｃ）は（Ａ）の右側面図である。
【図５】図１に示したストッパースプリングを示し、（Ａ）はその側面図で（Ｂ）は平面図である。
【図６】前掲ストッパーレバーにロック表示プレートを装填する過程を示す説明図で、（Ａ）は装填初期状態の縦断正面図、（Ｂ）は半装填状態の縦断正面図で（Ｃ）は装填完了状態を示した縦断正面図である。
【符号の説明】
１    支承体
１ｆ  被係部
２    脚体
２ｂ  脚側板部
３    車輪
３ａ  車軸
４    ストッパーレバー
４ａ  レバー枢支部
４ｂ  表示窓
４ｃ  案内空所
４ｄ  押隆部
４ｅ  ガイド
４ｆ  載装上面
４ｇ  天井壁面
５    ストッパースプリング
５ａ  スプリング支部
５ｂ  取着部側部
５ｃ  ストッパーレバー側部
５ｄ  付勢発条部
５ｆ  平板基部
５ｇ  折連部
５ｈ  底連部
５ｉ  上折先端部
６    ロック表示プレート
６Ａ  二股状部
６ａ  非ロック表示面
６ｂ  ロック表示面
６ｃ  係装部
６ｄ  表示板部
６ｅ  係止板部
６ｆ  押当板部
６ｇ  逃げ孔
Ａ    キャスター
Ｂ    取着部
【図１】
0003848167.tif 000002
【図２】
0003848167.tif 000003
【図３】
0003848167.tif 000004
【図４】
0003848167.tif 000005
【図５】
0003848167.tif 000006
【図６】
0003848167.tif 000007